(57)【要約】【課題】零相移行電圧による遮断器の誤遮断を防止することができる地絡保護継電システムを提供する。【解決手段】地絡保護継電システム１０は、第１乃至第３の計器用変圧器３1〜３3から入力される第１乃至第３の零相電圧Ｖ01〜Ｖ03に基づいて地絡事故を検出すると第１乃至第３の母線遮断器５1〜５3を遮断するための遮断指令（第１乃至第３のトリップ信号Ｔ1〜Ｔ3）を生成する遮断指令生成手段と、第１乃至第３の零相電圧Ｖ01〜Ｖ03に基づいて零相電圧発生源および零相電圧移行先を特定し、第１乃至第３の零相電圧Ｖ01〜Ｖ03のうち特定した零相電圧発生源における零相電圧が減衰するまで、第１乃至第３の母線遮断器５1〜５3のうち特定した零相電圧移行先の遮断器に対する遮断指令が出力されないようにロックする遮断指令ロック手段とを具備する。【選択図】図１
2010288408.tif 000002
【特許請求の範囲】
【請求項１】
変圧器（２）の各巻線側に接続された各母線に設置された各計器用変圧器（３1〜３3）から入力される各零相電圧（Ｖ01〜Ｖ03）に基づいて地絡事故を検出すると、該変圧器と該各母線との間に設置された各遮断器（５1〜５3）を遮断するための各遮断指令（Ｔ1〜Ｔ3）を生成する遮断指令生成手段（１３）と、
前記各零相電圧に基づいて零相電圧発生源および零相電圧移行先を特定し、該各零相電圧のうち該特定した零相電圧発生源における零相電圧が減衰するまで、前記各遮断器のうち該特定した零相電圧移行先の遮断器に対する前記遮断指令が出力されないようにロックする遮断指令ロック手段（１４，１５）と、
を具備することを特徴とする、地絡保護継電システム。
【請求項２】
前記遮断指令ロック手段が、前記変圧器の各巻線（２1〜２3）の対地間静電容量（Ｃ1〜Ｃ3）と該変圧器の各巻線間の静電容量（Ｃ12，Ｃ23）とを用いて算出される零相電圧移行率に基づいて前記零相電圧発生源および前記零相電圧移行先を特定することを特徴とする、請求項１記載の地絡保護継電システム。
【請求項３】
前記遮断指令ロック手段が、前記各零相電圧の大きさおよび位相を比較して、該各零相電圧のうち最も大きいものを零相電圧発生源の零相電圧として前記零相電圧発生源を特定するとともに、該特定した零相電圧発生源における零相電圧と位相が同一であり、かつ、大きさが（零相電圧発生源の零相電圧）×（零相電圧移行率）±α内にあるものを零相電圧移行先の零相電圧として前記零相電圧移行先を特定することを特徴とする、請求項２記載の地絡保護継電システム。
【請求項４】
前記遮断指令ロック手段が、前記各遮断器の開閉状態に基づいて前記零相電圧移行率を求めることを特徴とする、請求項２または３記載の地絡保護継電システム。
【請求項５】
前記遮断指令ロック手段が、前記各母線から分岐された各送配電線に設置された遮断器（６11，６12，６21〜６23，６31〜６33）の開閉状態に基づいて前記零相電圧移行率を求めることを特徴とする、請求項２乃至４いずれかに記載の地絡保護継電システム。
【発明の詳細な説明】
【技術分野】
【０００１】
本発明は、地絡保護継電システムに関し、特に、異なる電圧階級への零相電圧の移行による変電所の遮断器の誤遮断を防止するのに好適な地絡保護継電システムに関する。
【背景技術】
【０００２】
一般に、地絡事故から電力系統を保護するために、地絡過電圧継電器（ＯＶＧ）が電圧階級ごとに設置されている。
【０００３】
たとえば、図６に示すように、変電所に設置された変圧器２の１次巻線側に１１０ｋＶ母線１ａが接続され変圧器２の２次巻線側に６ｋＶ母線１ｂが接続されるとともに変圧器２の３次巻線側に２２ｋＶ母線１ｃが接続された電力系統においては、１１０ｋＶ母線１ａ、６ｋＶ母線１ｂおよび２２ｋＶ母線１ｃに第１乃至第３の地絡過電圧継電器（ＯＶＧ）４1〜４3をそれぞれ設置して、第１乃至第３の地絡過電圧継電器４1〜４3が第１乃至第３の計器用変圧器（ＧＰＴ）３1〜３3からそれぞれ入力される第１乃至第３の零相電圧Ｖ01〜Ｖ03に基づいて１１０ｋＶ母線１ａ、６ｋＶ母線１ｂおよび２２ｋＶ母線１ｃに発生した地絡事故を検出すると、変圧器２の１次巻線側に設置された第１の母線遮断器５1を遮断するようにしている。
【０００４】
なお、下記の特許文献１には、変圧器の安定巻線に他巻線からの移行電圧が発生するために自己の誘起電圧相当以上の絶縁強度を有する必要があるので変圧器全体が大形化するという問題と、安定巻線の一端は強制的に接地（零電位）としているために静電分圧比により低圧巻線の電位が各相にアンバランスとなって零相電圧が発生するという問題とを解決する目的で、安定巻線を非接地構成にするとともに安定巻線を低圧巻線と密着巻きとして静電結合を密にすることにより静電分圧比を改善し電位を安定させた変圧器が開示されている。
【先行技術文献】
【特許文献】
【０００５】
【特許文献１】特開２０００−３０６７４１号公報
【発明の概要】
【発明が解決しようとする課題】
【０００６】
しかしながら、上述したように地絡過電圧継電器を電圧階級ごとに設置した場合には、１１０ｋＶ母線１ａ、６ｋＶ母線１ｂおよび２２ｋＶ母線１ｃから分岐された送配電線に設置された保護継電器の人工地絡試験時や雷害発生時に零相電圧が発生すると、変圧器２を介して異なる電圧階級に零相電圧が移行して、変電所の遮断器（第１の母線遮断器５1）を誤遮断することがあるという問題があった。
【０００７】
また、このような零相移行電圧の大きさは変圧器２の巻線間静電容量と変圧器２の１次巻線対地間静電容量（送配電線の対地間静電容量など）、２次巻線対地間静電容量および３次巻線対地間静電容量とでほぼ決定されるため、電力系統の系統変更などによって変圧器２の１次巻線対地間静電容量、２次巻線対地間静電容量および３次巻線対地間静電容量が大幅に減少すると、零相電圧が移行しやすい状況となり、零相移行電圧の大きさによっては保護継電器の不要動作を引き起こしてしまうという問題があった。
【０００８】
本発明の目的は、零相移行電圧による遮断器の誤遮断を防止することができる地絡保護継電システムを提供することにある。
【課題を解決するための手段】
【０００９】
本発明の地絡保護継電システムは、変圧器（２）の各巻線側に接続された各母線に設置された各計器用変圧器（３1〜３3）から入力される各零相電圧（Ｖ01〜Ｖ03）に基づいて地絡事故を検出すると、該変圧器と該各母線との間に設置された各遮断器（５1〜５3）を遮断するための各遮断指令（Ｔ1〜Ｔ3）を生成する遮断指令生成手段（１３）と、
前記各零相電圧に基づいて零相電圧発生源および零相電圧移行先を特定し、該各零相電圧のうち該特定した零相電圧発生源における零相電圧が減衰するまで、前記各遮断器のうち該特定した零相電圧移行先の遮断器に対する前記遮断指令が出力されないようにロックする遮断指令ロック手段（１４，１５）とを具備することを特徴とする。
ここで、前記遮断指令ロック手段が、前記変圧器の各巻線（２1〜２3）の対地間静電容量（Ｃ1〜Ｃ3）と該変圧器の各巻線間の静電容量（Ｃ12，Ｃ23）とを用いて算出される零相電圧移行率に基づいて前記零相電圧発生源および前記零相電圧移行先を特定してもよい。
前記遮断指令ロック手段が、前記各零相電圧の大きさおよび位相を比較して、該各零相電圧のうち最も大きいものを零相電圧発生源の零相電圧として前記零相電圧発生源を特定するとともに、該特定した零相電圧発生源における零相電圧と位相が同一であり、かつ、大きさが（零相電圧発生源の零相電圧）×（零相電圧移行率）±α内にあるものを零相電圧移行先の零相電圧として前記零相電圧移行先を特定してもよい。
前記遮断指令ロック手段が、前記各遮断器の開閉状態に基づいて前記零相電圧移行率を求めてもよい。
前記遮断指令ロック手段が、前記各母線から分岐された各送配電線に設置された遮断器（６11，６12，６21〜６23，６31〜６33）の開閉状態に基づいて前記零相電圧移行率を求めてもよい。
【発明の効果】
【００１０】
本発明の地絡保護継電システムは、以下に示す効果を奏する。
（１）零相電圧移行先の遮断器に対する遮断指令は零相電圧発生源における零相電圧が減衰するまで出力されないようにロックされるので、零相移行電圧による遮断器の誤遮断を防止することができる。
（２）各母線に設置された各地絡過電圧継電器を一体化して内蔵することができるので、省スペース化およびリレー演算処理の高速化が図れる。
（３）変圧器の各巻線の対地間静電容量と変圧器の各巻線間の静電容量とを用いて算出される零相電圧移行率に基づいて零相電圧発生源および零相電圧移行先を特定するので、対地間静電容量を考慮することなく系統変更が可能となる。
【図面の簡単な説明】
【００１１】
【図１】本発明の一実施例による地絡保護継電システム１０について説明するための図である。
【図２】図１に示した地絡保護継電システム１０の構成を示すブロック図である。
【図３】零相電圧移行率の算出方法について説明するための図である。
【図４】第１乃至第３の母線遮断器５1〜５3の開閉状態を考慮した零相電圧移行率の算出方法について説明するための図である。
【図５】遮断器６11，６12，６21〜６23，６31〜６33の開閉状態を考慮した零相電圧移行率の算出方法について説明するための図である。
【図６】地絡事故から電力系統を保護するために地絡過電圧継電器が電圧階級ごとに設置されている地絡保護継電システムの従来例について説明するための図である。
【発明を実施するための形態】
【００１２】
上記の目的を、各零相電圧に基づいて零相電圧発生源および零相電圧移行先を特定し、各零相電圧のうち特定した零相電圧発生源における零相電圧が減衰するまで、特定した零相電圧移行先の遮断器に対する遮断指令が出力されないようにロックすることにより実現した。
【実施例１】
【００１３】
以下、本発明の地絡保護継電システムの実施例について図面を参照して説明する。
本発明の一実施例による地絡保護継電システム１０は、以下に示す点を特徴とする。
（１）第１乃至第３の計器用変圧器（ＧＰＴ）３1〜３3からそれぞれ入力される第１乃至第３の零相電圧Ｖ01〜Ｖ03に基づいて地絡事故を検出すると、変電所の遮断器（第１乃至第３の母線遮断器５1〜５3）をそれぞれ遮断するための遮断指令（第１乃至第３のトリップ信号Ｔ1〜Ｔ3）を生成する機能を有する点（すなわち、各電圧階級の地絡過電圧継電器（図６に示した第１乃至第３の地絡過電圧継電器４1〜４3）を一体化して内蔵している点）
（２）第１乃至第３の零相電圧Ｖ01〜Ｖ03に基づいて零相電圧発生源および零相電圧移行先を特定し、第１乃至第３の零相電圧Ｖ01〜Ｖ03のうち特定した零相電圧発生源における零相電圧が減衰するまで、特定した零相電圧移行先の遮断器に対する遮断指令（第１乃至第３のトリップ信号Ｔ1〜Ｔ3）が出力されないようにロックする点。
【００１４】
そのため、図１に示すように、地絡保護継電システム１０には第１乃至第３の零相電圧Ｖ01〜Ｖ03が第１乃至第３の計器用変圧器３1〜３3からそれぞれ入力されるとともに、地絡保護継電システム１０からは第１乃至第３のトリップ信号Ｔ1〜Ｔ3が第１乃至第３の母線遮断器５1〜５3に出力される。
【００１５】
また、地絡保護継電システム１０は、図２に示すように、入力変換器１１と、アナログ入力部１２と、リレー演算処理部１３と、零相移行電圧検出部１４と、ロック部１５と、整定・表示部１６と、入出力部１７と、伝送制御部１８とを備える。
【００１６】
ここで、入力変換器１１は、第１乃至第３の零相電圧Ｖ01〜Ｖ03のレベルをアナログ入力部１２の処理に適したレベルに変換する。
アナログ入力部１２は、サンプリングホールド回路とマルチプレクサ回路とアナログ／ディジタル変換器とバンドパスフィルタとを備え、入力変換器１１から入力されるアナログの第１乃至第３の零相電圧Ｖ01〜Ｖ03をディジタルの第１乃至第３の零相電圧Ｖ01〜Ｖ03に変換する。なお、バンドパスフィルタは、第１乃至第３の零相電圧Ｖ01〜Ｖ03の電力周波数成分（たとえば、６０Ｈｚ成分）のみを通過させるためのものである。
【００１７】
リレー演算処理部１３は、アナログ入力部１２から入力されるディジタルの第１乃至第３の零相電圧Ｖ01〜Ｖ03と電圧整定値とに基づいて地絡事故を検出すると、第１乃至第３のトリップ信号Ｔ1〜Ｔ3を生成してロック部１５に出力する。
すなわち、リレー演算処理部１３は、図６に示した第１乃至第３の地絡過電圧継電器４1〜４3におけるリレー演算処理部と同様に動作するものである。
【００１８】
零相移行電圧検出部１４は、ディジタルの第１乃至第３の零相電圧Ｖ01〜Ｖ03と零相移行電圧整定値とに基づいて零相電圧発生源および零相電圧移行先を特定する。
すなわち、零相移行電圧検出部１４は、第１乃至第３の零相電圧Ｖ01〜Ｖ03の１周期分の波形データを用いて大きさおよび位相を比較して、最も大きいものを零相電圧発生源の零相電圧として零相電圧発生源を特定するとともに、特定した零相電圧発生源における零相電圧と位相が同一であり、かつ、大きさが零相移行電圧整定値以上であるものを零相電圧移行先の零相電圧として零相電圧移行先を特定する。
【００１９】
また、零相移行電圧検出部１４は、第１乃至第３の零相電圧Ｖ01〜Ｖ03のうち特定した零相電圧発生源における零相電圧が所定の電圧値以下に減衰するまで、特定した零相電圧移行先の遮断器に対する遮断指令（第１乃至第３のトリップ信号Ｔ1〜Ｔ3）が出力されないようにロックするロック指令信号ＳLをロック部１５に出力する。
たとえば、零相電圧発生源として１１０ｋＶ母線１ａ（図１参照）を特定するとともに零相電圧移行先として２２ｋＶ母線１ｃを特定した場合には、零相電圧移行先である２２ｋＶ母線１ｃに設置された第３の母線遮断器５3を遮断するための第３のトリップ信号Ｔ3が出力されないようにロックするロック指令信号ＳLをロック部１５に出力する。
また、零相電圧発生源として１１０ｋＶ母線１ａ（図１参照）を特定するとともに零相電圧移行先として６ｋＶ母線１ｂおよび２２ｋＶ母線１ｃを特定した場合には、零相電圧移行先である６ｋＶ母線１ｂおよび２２ｋＶ母線１ｃにそれぞれ設置された第２および第３の母線遮断器５2，５3を遮断するための第２および第３のトリップ信号Ｔ2，Ｔ3が出力されないようにロックするロック指令信号ＳLをロック部１５に出力する。
【００２０】
ロック部１５は、零相移行電圧検出部１４から入力されるロック指令信号ＳLに従って、リレー処理部１３から入力される第１乃至第３のトリップ信号Ｔ1〜Ｔ3が出力されないようにロックする。
【００２１】
整定・表示部１６は、電圧整定値および零相移行電圧整定値などを整定するためのリレー整定処理を行うとともに、整定した電圧整定値および零相移行電圧整定値などを外部に表示する。
【００２２】
入出力部１７および伝送制御部１８は、電圧整定値および零相移行電圧整定値などを外部から地絡保護継電システム１０に入力したり、整定した電圧整定値および零相移行電圧整定値など外部に出力したりするためのものである。
【００２３】
このように構成された地絡保護継電システム１０では、零相電圧移行先の遮断器に対する遮断指令は出力されないようにロックされるので、変圧器２を介して異なる電圧階級に零相電圧が移行しても変電所の遮断器（第１乃至第３の母線遮断器５1〜５3）が誤遮断されることを防止することができる。
【００２４】
なお、零相移行電圧整定値は、所定の値としてもよいが、以下に示す（１）式から（６）式で表される零相電圧移行率に基づく値としてもよい。
たとえば、零相移行電圧検出部１４は、第１乃至第３の零相電圧Ｖ01〜Ｖ03の１周期分の波形データを用いて第１乃至第３の零相電圧Ｖ01〜Ｖ03の大きさおよび位相を比較して、第１乃至第３の零相電圧Ｖ01〜Ｖ03のうち最も大きいものを零相電圧発生源の零相電圧として零相電圧発生源を特定するとともに、特定した零相電圧発生源における零相電圧と位相が同一であり、かつ、大きさが（零相電圧発生源の零相電圧）×（零相電圧移行率）±α内にあるものを零相電圧移行先の零相電圧として零相電圧移行先を特定する。
【００２５】
図３に示すように、変圧器２の１次巻線対地間静電容量（変圧器２の１次巻線２1の対地間静電容量）を“Ｃ1”とし、変圧器２の２次巻線対地間静電容量（変圧器２の２次巻線２2の対地間静電容量）を“Ｃ2”とし、変圧器２の３次巻線対地間静電容量（変圧器２の３次巻線２3の対地間静電容量）を“Ｃ3”とし、変圧器２の１次・２次巻線間静電容量（変圧器２の１次巻線２1および２次巻線２2間の静電容量）を“Ｃ12”とし、変圧器２の２次・３次巻線間静電容量（変圧器２の２次巻線２1および３次巻線２3間の静電容量）を“Ｃ23”とし、変圧器２の１次側零相電圧を“Ｖ1E”とし、変圧器２の２次側零相電圧を“Ｖ2E”とし、変圧器２の３次側零相電圧を“Ｖ3E”とすると、零相電圧移行率は以下のようにして算出することができる。
（ａ）変圧器２の１次側から２次側への零相電圧移行率Ｖ2E／Ｖ1E
Ｖ2E＝［Ｃ12／｛Ｃ12＋Ｃ2＋（Ｃ3Ｃ23／（Ｃ3＋Ｃ23）｝］Ｖ1E
＝［Ｃ12（Ｃ3＋Ｃ23）／｛（Ｃ12＋Ｃ2）（Ｃ3＋Ｃ23）＋（Ｃ3Ｃ23）｝］Ｖ1E
したがって、
Ｖ2E／Ｖ1E＝Ｃ12（Ｃ3＋Ｃ23）／｛（Ｃ12＋Ｃ2）（Ｃ3＋Ｃ23）＋（Ｃ3Ｃ23）｝    （１）
（ｂ）変圧器２の１次側から３次側への零相電圧移行率Ｖ3E／Ｖ1E
Ｖ3E＝｛Ｃ23／（Ｃ3＋Ｃ23）｝Ｖ2E
＝｛Ｃ23／（Ｃ3＋Ｃ23）｝［Ｃ12（Ｃ3＋Ｃ23）／｛（Ｃ12＋Ｃ2）（Ｃ3＋Ｃ23）＋（Ｃ3Ｃ23）｝］Ｖ1E
＝［Ｃ23Ｃ12／｛（Ｃ12＋Ｃ2）（Ｃ3＋Ｃ23）＋（Ｃ3Ｃ23）｝］Ｖ1E
したがって、
Ｖ3E／Ｖ1E＝Ｃ23Ｃ12／｛（Ｃ12＋Ｃ2）（Ｃ3＋Ｃ23）＋（Ｃ3Ｃ23）｝    （２）
（ｃ）変圧器２の２次側から１次側への零相電圧移行率Ｖ1E／Ｖ2E
Ｖ1E＝｛Ｃ12／（Ｃ12＋Ｃ1）｝Ｖ2E
したがって、
Ｖ1E／Ｖ2E＝Ｃ12／（Ｃ12＋Ｃ1）    （３）
（ｄ）変圧器２の２次側から３次側への零相電圧移行率Ｖ3E／Ｖ2E
Ｖ3E＝｛Ｃ23／（Ｃ3＋Ｃ23）｝Ｖ2E
したがって、
Ｖ3E／Ｖ2E＝Ｃ23／（Ｃ3＋Ｃ23）    （４）
（ｅ）変圧器２の３次側から２次側への零相電圧移行率Ｖ2E／Ｖ3E
Ｖ2E＝［Ｃ23／｛Ｃ23＋Ｃ2＋（Ｃ12Ｃ1）／（Ｃ12＋Ｃ1）｝］Ｖ3E
＝［Ｃ23（Ｃ12＋Ｃ1）／｛（Ｃ23＋Ｃ2）（Ｃ12＋Ｃ1）＋（Ｃ12Ｃ1）｝］Ｖ3E
したがって、
Ｖ2E／Ｖ3E＝Ｃ23（Ｃ12＋Ｃ1）／｛（Ｃ23＋Ｃ2）（Ｃ12＋Ｃ1）＋（Ｃ12Ｃ1）｝    （５）
（ｆ）変圧器２の３次側から１次側への零相電圧移行率Ｖ1E／Ｖ3E
Ｖ1E＝｛Ｃ12／（Ｃ12＋Ｃ1）｝Ｖ2E
＝［Ｃ23Ｃ12／｛（Ｃ23＋Ｃ2）（Ｃ12＋Ｃ1）＋（Ｃ12Ｃ1）｝］Ｖ3E
したがって、
Ｖ1E／Ｖ3E＝Ｃ23Ｃ12／｛（Ｃ23＋Ｃ2）（Ｃ12＋Ｃ1）＋（Ｃ12Ｃ1）｝    （６）
【００２６】
このように零相移行電圧整定値を零相電圧移行率に基づく値とすることにより、電力系統の系統変更などによって変圧器２の１次巻線対地間静電容量Ｃ1、２次巻線対地間静電容量Ｃ2および３次巻線対地間静電容量Ｃ3が大幅に変わっても、地絡保護継電システム１０の整定・表示部１６（図３参照）が、変更後の変圧器２の１次巻線対地間静電容量Ｃ1、２次巻線対地間静電容量Ｃ2および３次巻線対地間静電容量Ｃ3を用いて（１）式から（６）式により零相電圧移行率を求めて、求めた零相電圧移行率に基づいて零相移行電圧整定値を整定することにより、零相移行電圧による第１乃至第３の母線遮断器５1〜５3の誤遮断を防止することができる。
【００２７】
また、変圧器２の１次巻線対地間静電容量Ｃ1、２次巻線対地間静電容量Ｃ2および３次巻線対地間静電容量Ｃ3は第１乃至第３の母線遮断器５1〜５3の開閉状態によって変わるため、図４に示すように第１乃至第３の母線遮断器５1〜５3の開閉状態を示す第１乃至第３の母線遮断器接点信号ＳCB1〜ＳCB3を地絡保護継電システム１０に入力して、地絡保護継電システム１０の整定・表示部１６が、第１乃至第３の母線遮断器接点信号ＳCB1〜ＳCB3に基づいて変圧器２の１次巻線対地間静電容量Ｃ1、２次巻線対地間静電容量Ｃ2および３次巻線対地間静電容量Ｃ3を算出して、算出した変圧器２の１次巻線対地間静電容量Ｃ1、２次巻線対地間静電容量Ｃ2および３次巻線対地間静電容量Ｃ3を用いて（１）式から（６）式により零相電圧移行率を求めて、求めた零相電圧移行率に基づいて零相移行電圧整定値を整定してもよい。
【００２８】
同様に、変圧器２の１次巻線対地間静電容量Ｃ1、２次巻線対地間静電容量Ｃ2および３次巻線対地間静電容量Ｃ3は１１０ｋＶ母線１ａ、６ｋＶ母線１ｂおよび２２ｋＶ母線１ｃから分岐された送配電線に設置されている遮断器６11，６12，６21〜６23，６31〜６33（図１参照）の開閉状態によって変わるため、図５に示すように遮断器６11，６12，６21〜６23，６31〜６33の開閉状態を示す遮断器接点信号ＳCB11，ＳCB12，ＳCB21〜ＳCB23，ＳCB31〜ＳCB33を地絡保護継電システム１０に入力して、地絡保護継電システム１０の整定・表示部１６が、遮断器接点信号ＳCB11，ＳCB12，ＳCB21〜ＳCB23，ＳCB31〜ＳCB33に基づいて変圧器２の１次巻線対地間静電容量Ｃ1、２次巻線対地間静電容量Ｃ2および３次巻線対地間静電容量Ｃ3を算出して、算出した変圧器２の１次巻線対地間静電容量Ｃ1、２次巻線対地間静電容量Ｃ2および３次巻線対地間静電容量Ｃ3を用いて（１）式から（６）式により零相電圧移行率を求めて、求めた零相電圧移行率に基づいて零相移行電圧整定値を整定してもよい。
【００２９】
以上の説明では、零相移行電圧検出部１４は、第１乃至第３の零相電圧Ｖ01〜Ｖ03の１周期分の波形データを用いて零相電圧発生源および零相電圧移行先を特定したが、第１乃至第３の零相電圧Ｖ01〜Ｖ03の電圧値を求めて、求めた電圧値が最も大きいものを零相電圧発生源の零相電圧として零相電圧発生源を特定するとともに、特定した零相電圧発生源における零相電圧と位相が同一であり、かつ、大きさが（零相電圧発生源の零相電圧）×零相電圧移行率±α内にあるものを零相電圧移行先の零相電圧として零相電圧移行先を特定してもよい。
この場合には、第１乃至第３の零相電圧Ｖ01〜Ｖ03の位相の比較は、第１乃至第３の零相電圧Ｖ01〜Ｖ03を増幅して方形波にしたのちに、方形波にした第１乃至第３の零相電圧Ｖ01〜Ｖ03の電圧値が“０”となるポイントが一致するか否かで同一位相であるかを判定することにより行ってもよい。
【００３０】
また、第１乃至第３のトリップ信号Ｔ1〜Ｔ3はロック部１５から第１乃至第３の母線遮断器５1〜５3に直接出力したが、ロック部１５から入出力部１７および伝送制御部１８（図３参照）を介して第１乃至第３の母線遮断器５1〜５3に出力してもよい。
【００３１】
さらに、零相移行電圧検出部１４からロック指令信号ＳLを入出力部１７および伝送制御部１８（図３参照）を介して１１０ｋＶ母線１ａ、６ｋＶ母線１ｂおよび２２ｋＶ母線１ｃから分岐された送配電線に設置されている保護継電器に出力して、保護継電器から出力されるトリップ信号をロックすることにより、電力系統の系統変更などによって対地間静電容量が大幅に減少しても、零相移行電圧による保護継電器の不要動作を防止することができる。
【符号の説明】
【００３２】
１ａ  １１０ｋＶ母線
１ｂ  ６ｋＶ母線
１ｃ  ２２ｋＶ母線
２  変圧器
２1〜２3  １次、２次および３次巻線
３1〜３3  第１乃至第３の計器用変圧器
４1〜４3  第１乃至第３の地絡過電圧継電器
５1〜５3  第１乃至第３の母線遮断器
６11，６12，６21〜６23，６31〜６33  遮断器
１０  地絡保護継電システム
１１  入力変換器
１２  アナログ入力部
１３  リレー演算処理部
１４  零相移行電圧検出部
１５  ロック部
１６  整定・表示部
１７  入出力部
１８  伝送制御部
Ｖ01〜Ｖ03  第１乃至第３の零相電圧
Ｔ1〜Ｔ3  第１乃至第３のトリップ信号
ＳL  ロック指令信号
Ｃ1  １次巻線対地間静電容量
Ｃ2  ２次巻線対地間静電容量
Ｃ3  ３次巻線対地間静電容量
Ｃ12  １次・２次巻線間静電容量
Ｃ23  ２次・３次巻線間静電容量
Ｖ1E  １次側零相電圧
Ｖ2E  ２次側零相電圧
Ｖ3E  ３次側零相電圧
ＳCB1〜ＳCB3  第１乃至第３の母線遮断器接点信号
ＳCB11，ＳCB12，ＳCB21〜ＳCB23，ＳCB31〜ＳCB33  遮断器接点信号
【図１】
2010288408.tif 000003
【図２】
2010288408.tif 000004
【図３】
2010288408.tif 000005
【図４】
2010288408.tif 000006
【図５】
2010288408.tif 000007
【図６】
2010288408.tif 000008